(57)【要約】  本発明は、底アセンブリ（９）、ルーフアセンブリ（１０）及び少なくとも１つの長手壁（１１、１２）を備えた車両ボディ（２）を有する、トラックとして形成された緊急車両（１）に関する。さらに中央の長手支持体（８）が設けられており、それが、車両長手方向に延びるように配置されている。長手支持体（８）は直接かつ堅固に車両ボディ（２）と結合されており、その場合にこの長手支持体が車両ボディ（２）の底アセンブリ（９）の統合された構成部分を形成している。【選択図】図８
2019531219.tif 000002
【特許請求の範囲】
【請求項１】
緊急車両（１）、特に消防車両であって、前記緊急車両（１）がトラックとして形成されており、緊急車両（１）がフロント側（５）及び車両長手方向にそれから離隔したリア側（６）を有し、かつ
−底アセンブリ（９）、ルーフアセンブリ（１０）及び左の長手壁（１１）及び／又は右の長手壁（１２）を備えた車両ボディ（２）を有し、その場合に少なくとも１つの長手壁（１１、１２）が底アセンブリ（９）とルーフアセンブリ（１０）の間に配置されており、
−中央の長手支持体（８）を有し、前記長手支持体（８）が車両長手方向に延びるように配置されており、
−少なくとも１つの前輪ペア（３）と少なくとも１つの後輪ペア（４）を有し、その場合に少なくとも２つの車輪ペア（３、４）が中央の長手支持体（８）に保持されている、
ものにおいて、
−中央の長手支持体（８）が車両ボディ（２）と直接堅固に結合されており、
−かつ中央の長手支持体（８）が、車両ボディ（２）の底アセンブリ（９）の統合された構成部分を形成している、ことを特徴とする緊急車両。
【請求項２】
長手支持体（８）が、多角形の横断面を有する中空プロフィールボディとして形成されている、ことを特徴とする請求項１に記載の緊急車両（１）。
【請求項３】
底アセンブリ（９）が、車両ボディ（２）のアンダーベルト、特に引っ張りベルトを形成する、ことを特徴とする請求項１又は２に記載の緊急車両（１）。
【請求項４】
底アセンブリ（９）が底構造（１３）を有し、かつ
底構造（１３）が中央の長手支持体（８）と直接堅固に結合されている、
ことを特徴とする請求項１から３のいずれか１項に記載の緊急車両（１）。
【請求項５】
底構造（１３）内に収容通路（２３）が配置され、あるいは形成されており、前記収容通路（２３）が車両長手方向に延びており、かつ
中央の長手支持体（８）が少なくとも領域的に収容通路（２３）内に収容されている、
ことを特徴とする請求項４に記載の緊急車両（１）。
【請求項６】
収容通路（２３）が、底構造（１３）の底下側（２４）から始まってルーフアセンブリ（１０）の方向に深くなるように底構造（１３）内に配置されており、かつ／又は
収容通路（２３）が、ルーフアセンブリ（１０）とは逆の側へ深くなるように底構造（１３）内に配置されている、
ことを特徴とする請求項５に記載の緊急車両（１）。
【請求項７】
車両ボディ（２）が、複数の横壁（１４）を有している、ことを特徴とする請求項１から６のいずれか１項に記載の緊急車両（１）。
【請求項８】
横壁（１４）の１つが車両ボディ（２）のフロント側（５）を形成し、かつ保持フレーム（１５）及び保持フレームＩ（１５）内に保持されている少なくとも１つの窓ガラス（１６）を有している、ことを特徴とする請求項７に記載の緊急車両（１）。
【請求項９】
横壁（１４）の少なくともいくつかが、車両長手方向に関して垂直の方向に方向づけされた横平面内に配置されている、ことを特徴とする請求項７又は８に記載の緊急車両（１）。
【請求項１０】
横壁（１４）の少なくともいくつかが、底アセンブリ（９）の中央の長手支持体（８）と直接堅固に結合されている、ことを特徴とする請求項７から９のいずれか１項に記載の緊急車両（１）。
【請求項１１】
横壁（１４）の少なくともいくつかが、車両ボディ（２）の長手壁（１１、１２）の少なくとも１つと堅固に結合されている、ことを特徴とする請求項７から１０のいずれか１項に記載の緊急車両（１）。
【請求項１２】
ルーフアセンブリ（１０）が車両ボディ（２）のオーバーベルト、特に圧力ベルトを形成している、ことを特徴とする請求項１から１１のいずれか１項に記載の緊急車両（１）。
【請求項１３】
ルーフアセンブリ（１０）が、少なくとも１つのルーフ支持体（２６、２７）及び少なくとも１つのルーフ支持体（２６、２７）と結合された少なくとも１つのルーフエレメント（２８）を有している、ことを特徴とする請求項１から１２のいずれか１項に記載の緊急車両（１）。
【請求項１４】
ルーフアセンブリ（１０）が、左のルーフ支持体（２６）、右のルーフ支持体（２７）及び少なくとも１つの他のルーフ支持体（２９）を有しており、前記少なくとも１つの他のルーフ支持体（２９）が車両長手方向に関して垂直の方向に、左のルーフ支持体（２６）と右のルーフ支持体（２７）の間に配置されており、かつ少なくとも１つの他のルーフ支持体（２９）が同様にルーフエレメント（２８）と結合されている、ことを特徴とする請求項１３に記載の緊急車両（１）。
【請求項１５】
２つの他のルーフ支持体（２９）が設けられており、かつ２つの他のルーフ支持体（２９）が車両長手方向に関して垂直の方向に互いに離隔して配置されている、ことを特徴とする請求項１４に記載の緊急車両（１）。
【請求項１６】
ルーフ支持体（２６、２７、２９）の少なくともいくつかが、横壁（１４）の少なくとも１つと堅固に結合されている、ことを特徴とする請求項１１から１５のいずれか１項に記載の緊急車両（１）。
【請求項１７】
車両ボディ（２）が、さらに、少なくともセクション的に配置された外側被覆（１７）を有している、ことを特徴とする請求項１から１６のいずれか１項に記載の緊急車両（１）。
【請求項１８】
車両ボディ（２）が運転者キャビン（１８）を有し、前記運転者キャビン（１８）が車両ボディ（２）の一体的な構成ユニットを形成している、ことを特徴とする請求項１から１７のいずれか１項に記載の緊急車両（１）。
【請求項１９】
車両ボディ（２）が、長手支持体（８）と共に自己支持する構造を形成している、ことを特徴とする請求項１から１８のいずれか１項に記載の緊急車両（１）。
【発明の詳細な説明】
【技術分野】
【０００１】
本発明は、トラックとして形成された緊急車両、特に消防自動車に関する。
【背景技術】
【０００２】
車両建造において、トラックの場合にボックス形車両の概念は、ボックス形の構造のボディが運転者室もしくは運転者キャビンを有する構造的ユニットを形成する構造であった。ボックス形状の構造全体が、中間フレーム上に構築されており、その場合にボックス形状の構造の中間フレームが車両支持フレーム上に取り付けられて、それによって支持されていた。最近においては、トラックにおけるボックス形状の組立て形状は、いわゆるトランク構造に引き継がれた。その場合に車両支持フレームに運転者室もしくは運転者キャビンが傾くことができるように支承された。それによってボックスとの一貫した固定の結合は形成することができなくなった。というのは、固定的に結合されたボックスと共に運転者室を傾けることは、不可能になるからである。車両フレームは、中央の中央フレーム又は長手フレームを有し、それにそれぞれの車輪ペア、駆動コンポーネント、燃料タンク及び他のコンポーネントが保持されている。車両フレームの中央フレーム又は長手フレーム上に、ボックス形状の構造全体か、あるいは運転者室もしくは運転者キャビンと専用のトランク構造が、それぞれ自己支持する構造として付加的な支持フレームを介在させて支持されていた。これらの車両構造における欠点は、車両フレーム上に専用の支持するボックス形状の構造又は運転者室及び自己支持するトランク構造が設けられることである。
【０００３】
さらに、車両におけるフレーム構造も知られており、それにおいて車両フレームがいわゆる中央パイプフレームによって形成されていた。中央パイプフレームは、支持する中央の構造部材として形成されており、それが他の、大体において構造的負荷を受けない車両部材を収容する。したがって中央パイプフレームが、支持しないボディの下方に支持する構造を形成している。
【発明の概要】
【発明が解決しようとする課題】
【０００４】
本発明の課題は、従来技術の欠点を克服して、車両ボディがつながりあった構造ユニットを形成し、かつそれがコンパクトな全体構造を有するような、緊急車両を提供することである。さらにまた、重量を削減する構造ユニットを形成しようとしている。
【課題を解決するための手段】
【０００５】
この課題は、請求項に記載された緊急車両によって解決される。
【０００６】
本発明に係る緊急車両は、トラックとして形成されており、特に消防車両として消防隊出動に用いられ、あるいは人又は対象の救出及び／又は救護に用いられる。緊急車両は、フロント側と、車両長手方向においてそれから離隔したリア側とを有しており、かつ
−底アセンブリ、ルーフアセンブリ及び左の長手壁及び／又は右の長手壁を備えた車両ボディを有し、その場合に少なくとも１つの長手壁が底アセンブリとルーフアセンブリの間に配置されており；
−中央の長手支持体を有し、その長手支持体が車両長手方向に延びるように配置されており；
−少なくとも１つの前輪ペアと少なくとも１つの後輪ペアを有し、その場合に少なくとも２つの車輪ペアが中央の長手支持体に保持されており；
−駆動ユニットを有し、その駆動ユニットが車輪ペアの少なくとも１つと駆動結合されており、かつ
−中央の長手支持体が車両ボディと直接堅固に結合されており、
−かつ、中央の長手支持体が車両ボディの底アセンブリの統合された構成部分を形成している。
【０００７】
それによって得られる利点は、中央の長手支持体を車両構造と、すなわち車両ボディと統合することによって、コンパクトな自己支持する構造を提供することができ、それによって車両構造を形成する際に付加的な中間フレームを省くことができることにある。中央の長手支持体は、底側に配置されているので、この長手支持体は底アセンブリ内に統合されることによってこの底アセンブリと共に他のボディ部分と協働して自己支持する全体構造となる。さらに中央の長手支持体を統合し、かつそうでない場合には必要とされる中間フレームを省くことによって、一方で重量を削減することができ、他方では車両構造の内部の付加的な収容室を提供することができる。すなわち、もはや中間フレームが必要とされないにもかかわらず、安定した支持構造全体を形成することができる。
【０００８】
さらに、長手支持体が、多角形の横断面を有する中空プロフィールボディとして形成されていると、効果的である。長手支持体を中空プロフィールボディとして形成することによって、その高い固有強度を得ることができる。しかしさらに、長手支持体の内部に、たとえば駆動コンポーネント、燃料、消火剤、消火用水などのための、収容室を形成することができる。好ましくは矩形の横断面が選択され、それが構造的なやり方で底アセンブリ内へ統合され、かつきわめて多様な固定可能性も有することができる。
【０００９】
他の実施形態は、底アセンブリが車両ボディのアンダーベルト、特に引っ張りベルトを形成することを、特徴としている。中央の長手支持体を底アセンブリ内へ統合することによって、トラックとして形成されている車両のために、支持可能な充分に中実の構造を形成することができる。
【００１０】
他の可能な実施形態は、底アセンブリが底構造を有し、かつ底構造が中央の長手支持体と直接堅固に結合されている、という特徴を有している。すなわち底構造を設けることによって、車両ボディの底領域内にまとまった構成ユニットを形成することができ、それがさらに、長手壁もしくは側壁に至るまでの充分な剛性と強度を形成する。
【００１１】
他の形成においては、底構造内に収容通路が配置され、あるいは形成されており、その収容通路が車両長手方向に延びており、かつ中央の長手支持体が少なくとも領域的に収容通路内に収容されている。したがって底構造内に収容通路を設け、もしくは形成することによって、底アセンブリの内部に中央の長手支持体をさらに場所をとらないように収容することができる。
【００１２】
他の実施形態は、収容通路が底構造の底下側から始まってルーフアセンブリの方向に深くなるように底構造内に配置されていること、及び／又は収容通路がルーフアセンブリとは逆の側へ深くなるように底構造内に配置されていることを、特徴としている。底構造に収容通路を形成することによって、さらに、中央の長手支持体と協働して、底構造の付加的な補強を得ることができる。
【００１３】
他の好ましい実施形態は、車両ボディが複数の横壁を有していることを特徴としている。車両ボディの内部に複数の横壁を設けることによって、車両ボディ全体をさらに強化することができる。そしてそれによってさらに、それぞれ横壁の選択された組み立て高さに応じて、底アセンブリからのルーフアセンブリの充分な離隔も得ることができる。さらに、横壁は、車両ボディの内部にある収容室を個々の区画に分割するために用いることもできる。
【００１４】
さらに、横壁の１つが車両ボディのフロント側を形成し、かつ保持フレーム及び保持フレーム内に保持された少なくとも１つの窓ガラスを有していると、効果的であり得る。横壁を車両ボディの支持する構成部分として統合することによって、車両のフロント側を支持する構成部分として一緒に形成することもできる。窓ガラスが保持フレームに充分安定して固定されている場合に、一番前の横壁は、車両ボディを形成する場合に支持する機能を行使することもできる。
【００１５】
他の代替的な形態は、横壁の少なくともいくつかが、車両長手方向に関して垂直の方向に方向づけされた横平面内に配置されていることを、特徴としている。それによって走行駆動の間の、底アセンブリから始まって車両ボディ全体へ伝達される、車両ボディのねじれを最小限に抑えることができる。
【００１６】
他の可能な、そして場合によっては代替的な実施形態は、横壁の少なくともいくつかが、底アセンブリの中央の長手支持体と直接堅固に結合されている、という特徴を有している。それによって充分に安定した堅固な車両ボディを提供することができる。
【００１７】
他の形成において、横壁の少なくともいくつかが、車両ボディの長手壁の少なくとも１つと堅固に結合されている。少なくとも１つの長手壁を設け、かつそれを１つ又は複数の横壁と結合することによって、車両ボディのさらに安定した全体構造を得ることができる。
【００１８】
他の実施形態は、ルーフアセンブリが車両ボディのオーバーベルト、特に圧力ベルトを形成することを、特徴としている。ルーフアセンブリ全体を車両ボディの形成もしくは構造へ一緒に組み込むことによって、このルーフアセンブリも同様に支持する構成ユニットとして用いることができる。したがって底アセンブリ及び横壁と長手壁による２つのアセンブリの互いに対する離隔と共に、それぞれ要請に応じて自己支持する全体構造を形成することができる。
【００１９】
他の好ましい実施形態は、ルーフアセンブリが少なくとも１つのルーフ支持体及び少なくとも１つのルーフ支持体と結合された少なくとも１つのルーフエレメントを有することを、特徴としている。それによってルーフアセンブリの安定した、支持する構造を提供することができる。
【００２０】
さらに、ルーフアセンブリが左のルーフ支持体、右のルーフ支持体及び少なくとも１つの他のルーフ支持体を有しており、その少なくとも１つの他のルール支持体が車両長手方向に関して垂直の方向において左のルーフ支持体と右のルーフ支持体の間に配置されており、かつ少なくとも１つの他のルーフ支持体が同様にルーフエレメントと結合されていると、効果的であり得る。すなわち複数のルーフ支持体を設けることによって、車両のルーフ領域内にその強化だけでなく、持ち運ぶべき、もしくは携行すべき装備対象のための少なくとも１つの収容室も提供することができる。
【００２１】
他の実施形態は、２つの他のルーフ支持体が設けられており、かつ２つの他のルーフ支持体が車両長手方向に関して垂直の方向に互いに離隔して配置されていることを、特徴としている。それによってルーフアセンブリ全体の固有剛性を、さらに改良することができる。
【００２２】
他の可能な実施形態は、ルーフ支持体の少なくともいくつかが、横壁の少なくとも１つと堅固に結合されている、という特徴を有している。したがって車両構造の支持能力を改良し、かつ増大させることができる。
【００２３】
他の形成において、車両ボディはさらに、少なくともセクション的に配置された外側被覆を有している。すなわち付加的な外側被覆を設けることによって、それぞれ必要に応じて、車両ボディの外側の終端を形成することができる。
【００２４】
他の実施形態は、車両ボディが運転者キャビンを有し、その運転者キャビンが車両ボディの統合された構成ユニットを形成することを、特徴としている。その場合に運転者キャビンは、底アセンブリの部分セクション、ルーフアセンブリの部分セクション、長手壁の部分セクションによって、かつそれぞれ大きさと収容容量に応じて、少なくとも２つの横壁によって画成されている。すなわち緊急車両の一貫した、つながり合った構成ユニットを提供することができる。したがって車両ボディの車両構造内へ運転者キャビン全体を統合することによって、さらによいつながりあった自己支持する構造を提供することができる。
【００２５】
そして他の好ましい実施形態は、車両ボディが長手支持体と共に自己支持する構造を形成することを、特徴としている。それによって個別の顧客要望に迅速に反応し、かつそれによりよく応じることができる可能性を提供する、構造原理を提供することができる。
【００２６】
本発明をさらによく理解するために、以下の図を用いて本発明を詳細に説明する。
図は、著しく簡略化された図式的な表示である。
【図面の簡単な説明】
【００２７】
【図１】緊急車両として形成されたトラックを示す側面図である。
【図２】緊急車両の簡単な構造を示す側面図である。
【図３】緊急車両の他の簡単な構造を示す側面図である。
【図４】緊急車両の他の可能な構造を側面及び簡単な表示で示している。
【図５】緊急車両の他の簡単な構造を示す側面図である。
【図６】緊急車両の可能な構造を簡単な表示で示す横断面図である。
【図７】緊急車両の他の可能な構造を簡単な表示で示す横断面図である。
【図８】緊急車両の他の可能な構造を簡単な表示で示す横断面図である。
【図９】図５に示す緊急車両の可能な構造を横断面及び簡単な表示で示している。
【発明を実施するための形態】
【００２８】
最初に記録しておくが、異なるように記載される実施形態において、同一の部分には同一の参照符号ないし同一の構成部分名称が設けられており、その場合に説明全体に含まれる開示は、同一の参照符号ないし同一の構成部分名称を有する同一の部分へ意味に従って移し替えることができる。また、説明内で選択される、たとえば上、下、側方などのような位置記載は、直接説明され、かつ示される図に関するものであって、この位置記載は位置が変化した場合には意味に従って新しい位置へ移し替えられる。
【００２９】
以下において「特に」という概念は、それが可能な特殊な形成あるいは対象又は方法のより詳しい詳細化であることができるが、無条件にその必然的な好ましい実施形態又は必然的なやり方を表すものではない。
【００３０】
図１には、緊急車両１が簡略化された側面図で示されている。緊急車両１は、きわめて多様な使用目的のために用いることができ、特に消防車、自治体車両として、あるいは移送車両としても用いることができる。さらに緊急車両１は、この実施例においては、いわゆるトラックとして形成されており、車両ボディ２、少なくとも１対の前輪３及び少なくとも１対の後輪４を有している。シングルホィールの代わりに、デュアルホィールを使用することも可能である。
【００３１】
ここに図示される実施例において、緊急車両の可能な形状が、消防車として示されている。車両ボディ２内に、きわめて多様な収容区画及び／又は収容ボックスを設けることができ、それによって出動のために必要な装備対象、工具及び多くの物を配置して携行することができる。そのために収容区画及び／又は収容ボックスは、移送のためにドア、シャッター又は他の閉鎖部材によって閉鎖されて、必要に応じて接近することができる。
【００３２】
見やすくするために、駆動ユニット又は他のユニットもしくは構成部分コンポーネントの表示は、省かれている。
【００３３】
緊急車両１は、フロント側５及び車両長手方向にそれから離隔したリア側６を有しており、それによって組立て長さもしくは車両長さが定められている。さらにここでは、緊急車両１が好ましくは水平に方向づけされた載置面７上に載置され、もしくは支持されていることが、示されている。
【００３４】
緊急車両１の原理的な構造は、車両ボディ２と中央の長手支持体８によって形成されている。ここでは、特に個々の車輪ペア、駆動部材及び他の多数のコンポーネントを支持するように形成された構造である。この全体構造は、車両構造と称することもできる。
【００３５】
中央の長手支持体８は、車両ボディ２と共に自己支持する構造を形成する。車両ボディ２自体は、底アセンブリ９、ルーフアセンブリ１０及び左の長手壁１１及び／又は右の長手壁１２を有している。その場合に見る方向は、ノーマルな通常の走行方向に選択されている。この実施例において、左の長手壁１１も右の長手壁１２も示され、かつ記述されており、その場合に２つの長手壁１１、１２の１つのみを設けることも、可能である。２つの長手壁１１、１２の各々は、底アセンブリ９とルーフアセンブリ１０の間に配置されている。中央の長手支持体８は、走行方向に見て、好ましくは緊急車両１、特にその車輪ペア３、４に関して中央に、かつ車両長手方向に延びるように配置されている。少なくとも２つの車輪ペア３、４は、好ましくは中央の長手支持体８に保持されており、その場合にその固定及び駆動は、見やすくする理由から詳細には示されていない。詳細には示されず、説明されない駆動ユニットは、車輪ペア３、４の少なくとも１つと駆動結合されている。
【００３６】
中央の長手支持体８は、コアパイプと称することもでき、中空プロフィールボディとして形成されており、それが好ましくは多角形の横断面を有している。それぞれ長手支持体８の負荷に従って、材料としてたとえばアルミニウム、種々のアルミニウム合金及び／又はきわめて多様な添加物を有する鋼とそれから形成される合金を選択することができる。しかしまた、複合材料、ラミネート、コンポジット材料などを使用することも、可能である。すなわち長手支持体８は、プロフィール材及び／又はエッジをつけたシートからつながり合った１つの構成部分にまとめることができる。上述した材料のすべてまたはそれに基づく可能な材料の組合せも、長手支持体８を形成する場合だけでなく、車両ボディ２、特に後述する構成部分コンポーネントを形成するためにも、使用することができる。それはたとえば、底アセンブリ９、ルーフアセンブリ１０、側壁もしくは長手壁１１、１２、底構造１３、外側被覆１７及び横壁１４とすることができる。複合材料を選択する場合に、それぞれ形成方法に従って、少なくとも１つの長手壁１１、１２、横壁１４、ルーフアセンブリ１０及び場合によっては底アセンブリ９からなる共通の構成ユニットにまとめることができる。
【００３７】
さらに中央の長手支持体８は、直接車両ボディ２と堅固に結合されており、特に螺合され、リベット止めされ、かつ／又は部分的に材料結合で結合されている。中央の長手支持体８は、さらに、車両ボディ２の底アセンブリ９の統合された構成要素を形成する。これは、車両ボディ２が、通常のように支持する長手支持体８上に構築されて、支持する中間フレームが中央の長手支持体８上に支持されるのではなく、中間フレームが完全に省かれることを、意味している。したがって中央の長手支持体８は、底アセンブリ９と共に車両ボディ２のアンダーベルト、特に引っ張りベルトを形成する。
【００３８】
次の図２から９には、緊急車両１を形成するための自己支持する構造の個々の構成部分コンポーネントの可能な様々な配置及びその様々な形成が示されている。自己支持する構造の原理的な構造が、図３から９に著しく様式化して示されている。
【００３９】
すなわち図２には、車両ボディ２と長手支持体８を有する緊急車両１を形成するための、自己支持する構造が示されている。車両ボディ２の底アセンブリ９は、長手支持体８に加えてさらに底構造１３も有することができ、その底構造は長手支持体８から始まってそれぞれ２つの長手壁１１、１２まで延びている。底構造１３は、下方の角部領域もしくは長手端縁領域内で、それぞれ長手壁１１、１２と堅固に結合することができる。安定した自己支持する構造を形成するために、底構造１３は中央の長手支持体８と直接堅固に結合されている。
【００４０】
車両ボディ２は、少なくとも１つの横壁１４、しかし大体において複数の横壁１４を有しており、それらは荷重を逃がす横リブとして形成されている。横壁１４の各々は、車両ボディ２の長手方向の延び、あるいは車両長手方向に関して横方向に、特に垂直方向に方向づけされている。それぞれ形成と配置に従って、横壁１４は長手壁１１、１２の少なくとも１つと共に、同様に支持する構成ユニットとして結合されている。２つの長手壁１１、１２が設けられている場合に、好ましくは２つの長手壁１１、１２と横壁１４の堅固な結合も行われる。
【００４１】
さらにここでは、車両ボディ２のフロント側５を形成する横壁１４も、保持フレーム１５及び保持フレーム１５内に保持される少なくとも１つの窓ガラス１６を有している。
【００４２】
底アセンブリ９の領域内でも、充分な固有強度を達成するために、横壁１４の少なくとも１つが底アセンブリ９の中央の長手支持体８と直接堅固に結合されている。さらに、横壁１４を底構造１３と少なくとも領域的に堅固に結合することも、できる。
【００４３】
ルーフアセンブリ１０は、車両ボディ２のオーバーベルト、特に圧力ベルトを形成している。
【００４４】
付加的に、車両ボディ２はさらに、少なくともセクション的に配置された外側被覆１７を有することができる。外側被覆１７は、２つの長手壁１１、１２の少なくとも１つに加えて設けること、もしくは配置することができ、あるいは少なくともセクション的に２つの長手壁１１、１２の少なくとも１つ自体を形成することができ、したがって固有強度を高めることを支援する。しかし好ましくは、２つの長手壁１１、１２は支持する構成部分として用いられ、あるいは支持する構成部分として形成されている。外側被覆１７は、車両ボディ２の外側全体を覆うように配置することもできる。外側被覆１７に数えられるのは、シャッター、ドア、スライドドア又は他の閉鎖部分である。
【００４５】
現在一般的なトラックにおいては、専用の運転者キャビンが設けられており、それが車両フレームもしくはシャーシに傾き可能もしくは倒すことができるように、支承され、かつ保持されている。この実施例において示される車両ボディ２においては、車両ボディが一体的な構成ユニットとして、さらに運転者キャビンも一緒に有している。したがって運転者キャビンは、同様に緊急車両１の自己支持する構造の堅固かつ固定的な構成要素である。すなわち車両ボディ２は、その中に統合されている長手支持体８と共に、フロント側５からリア側６へ構造的につながりあった構造を形成している。
【００４６】
中央の長手支持体８は、運転者キャビンの下方の領域から始まって少なくとも後輪ペア４を越えて車両長手方向につながって延びている。
【００４７】
緊急車両１の組立て高さと車両幅は、それぞれの法律的規定に従って選択することができる。
【００４８】
中央の横壁１４の配置は、必要に応じて、かつ必要とされるスペース需要及び個別の使用目的に応じて自由に選択することができる。すなわち運転者キャビン１８のフロント側５だけでなく、リア側６を形成するために用いられる横壁１４も、専用の横壁１４によって形成することができる。
【００４９】
図２に示す実施例において、車両ボディ２のリア側の領域は、好ましくは垂直方向に高さ変位可能な積み卸しプラットフォームを有する、詳しく図示されない積み卸し配置を収容するように形成されている。したがって支持する横壁１４は、リア側６からフロントエンドもしくはフロント側５の方向に離隔して配置されている。長手支持体８に、１つの前輪ペア３及び１つの後輪ペア４のみが保持されている。長手支持体８の長手方向の延びは、後輪ペア４のすぐ後方で終了しており、それによって車両ボディ２の内部にリア側の自由空間が形成される。
【００５０】
図３には、緊急車両１の他の可能な形成が、その車両ボディ２及び統合された長手支持体８と共に示されている。原理的な自己支持する構造は、ここでも実現されている。したがって、不必要な繰り返しを避けるために、図１と２における詳細な説明が参照するよう指示され、もしくは参照される。ここでも先行する図１と２におけるのと同一の部分には同一の参照符号もしくは構成部品名称が使用される。場合によっては、この形成は、それ自体自立した実施形態を形成することができる。
【００５１】
緊急車両１を形成するための自己支持する構造は、ここでも車両ボディ２と長手支持体８を有している。さらに車両ボディ２は、上述した底アセンブリ９、ルーフアセンブリ１０、２つの長手壁１１、１２及び好ましくは複数の横壁１４を有している。これらすべての構成部分もしくは構成部分グループは、自己支持する構造になるように互いに堅固かつ固定的に結合されている。
【００５２】
ここではさらに、緊急車両１が図２に示す緊急車両１に対して、さらに大きく、あるいはさらに長い車両長さを有していることが、見られる。そのために、２つの後輪ペア４を設けることができる。
【００５３】
車両ボディ２のリアエンドは、底側に、ルーフアセンブリ１０から底アセンブリ９へ下降する斜面を有している。これは、斜めにカットされたリアと称することもできる。長手支持体８は、斜めにカットされたリアもしくはリア側６まで直接延びている。運転者キャビン１８は、車両ボディ２の同様に統合された一体的な構成部分である。
【００５４】
図４に示す緊急車両１は、図１から３に記述される緊急車両１と同一の、自己支持する構造を備えた原理的構造を有している。
【００５５】
これらの形成との違いは単に、車両長さがより長いことにある。さらに、長手支持体８に２つの前輪ペア３と２つの後輪ペア４が固定されている。
【００５６】
底アセンブリ９の底側の領域内に、終端横支持体１９が設けられており、それが、車両ボディ２の支持するリア側の終端を形成している。終端横支持体１９は、長手支持体８及び／又は底構造１３とも、２つの長手壁１１、１２とも、自己支持する構造ユニットもしくは構造になるように堅固に結合することができる。
【００５７】
図５は、緊急車両１の他の、場合によってはそれ自体自立した実施形態を示しており、その場合にここでも、先行する図１から４におけるのと同一の部分には同一の参照符号もしくは構成部品名称が使用されている。不必要な繰り返しを避けるために、先行する図１から４における詳細な説明を参照するよう指示し、もしくは参照する。
【００５８】
この緊急車両１は、たとえば回転梯子、足場又は他の昇降補助手段を構築するために用いることができる。そのためにここでは、車両ボディ２はフロント側５の領域内に少なくとも１つの運転者キャビン１８と場合によってはさらにクルールーム及び／又は装備対象を収容するための収容室を有している。
【００５９】
車両ボディ２は、このセクション内で、設けられている付加的な構造に応じて適合された組立て高さを有している。
【００６０】
図１から４に示す緊急車両１とは異なり、ここでは運転者キャビン１８は、上述した実施例におけるよりもさらに低くセットして配置されている。これを可能にするために、長手支持体８は、リア側６へ向いた、好ましくは横壁１４によって形成される運転者キャビン１８のキャビン背壁で終了している。
【００６１】
ここでも底アセンブリ９とルーフアセンブリ１０が設けられている。しかしルーフアセンブリ１０は、側面図で見てフロント側５からリア側６へ段付きで形成された長手推移を有している。段付きの形成というのは、ルーフアセンブリ１０がその長手方向の延びにおいて少なくとも２つの互いに異なる平面内に延びるように配置されていることである。大体において平面内に延びるように配置された底アセンブリ９とルーフアセンブリ１０の個々の長手セクションとの間に互いに異なる間隔を実現することができる。しかしまた、ルーフアセンブリ１０において２つより多い平面を設けることも、可能である。
【００６２】
運転者キャビン１８の領域内のルーフアセンブリ１０の第１の長手セクションと、場合によってはそれに連続するボディ領域は、底アセンブリ９に関して、特に長手支持体８に関して、ほぼ平行に延びるように配置されている。ルーフアセンブリ１０のこの長手領域もしくは長手セクションは、車両長さ全体の約３分の１から半分まで延びており、かつ第１のルーフ領域２０を形成している。第１のルーフ領域２０に続いて、底アセンブリ９の方向へ下降するように形成された中間領域２１が配置され、もしくは設けられている。残りの車両長さにおいて、運転者キャビン１８もしくはルーフアセンブリ１０の第１のルーフ領域２０の領域内よりも、小さい組立て高さを有する横壁１４が形成されている。したがって、第２のルーフ領域２２の領域内もしくは長手セクション内でルーフアセンブリ１０は底アセンブリ９のすぐ上方に配置されている。自己支持する構造もしくは自己支持する構成構造は、第２のルーフ領域２２のこの長手セクション内でも、維持されている。
【００６３】
図６には、緊急車両１の自己支持する構造の可能な横断面が示されており、その場合にここでも先行する図１から５におけるのと同一の部分には、同一の参照符号もしくは構成部品名称が使用される。不必要な繰り返しを避けるために、先行する図１から５における詳細な説明が参照するよう指示され、もしくは参照される。
【００６４】
さらに車輪ペア３、４の表示が省かれており、原理的な自己支持する構成もしくは自己支持する構造のみが、さらによく、かつさらに見やすいように示されている。
【００６５】
ここに示される底アセンブリ９は、底構造１３及びそれと直接結合された中央の長手支持体８を有している。底構造１３内に収容通路２３が配置され、あるいは形成されており、その場合に収容通路２３は車両長手方向に延びている。ここではさらに、中央の長手支持体８が少なくとも領域的に収容通路２３内に収容されている。さらに、底構造１３内で収容通路２３が底構造１３の底下側２４から始まってルーフアセンブリ１０の方向へ深くなるように配置されていることも、見られる。
【００６６】
ここに示される横壁１４は、この実施例においては、車両ボディ２の外側に配置された外側被覆１７まで延びている。
【００６７】
上述した左の長手壁１１と右の長手壁１２は、ここでは横断面で見てＣ字状もしくはＵ字状の横断面を有している。２つの長手壁１１、１２は、車両ボディ２の外側の側方境界から、この実施例においては外側被覆１７から、長手支持体８の中央に延びる中央長手平面２５の方向へ、それに対して変位して配置されている。さらに２つの長手壁１１、１２は、ルーフアセンブリ１０の近傍領域内でその下方に配置されている。ここでも２つの長手壁１１、１２と１つ又は複数の横壁１４との堅固な結合が設けられている。
【００６８】
ルーフアセンブリ１０は、たとえばいわゆるサンドイッチ支持体もしくはサンドイッチプレートによって形成することができ、それが、車両ボディ２のルーフ領域全体を形成している。横壁１４、底アセンブリ９、ルーフアセンブリ１０及び２つの長手壁１１、１２の間の固定的な結合は、すでに上で説明したのと同様に行うことができる。自己支持する構造を形成することができるようにするために、それぞれの接触箇所もしくは突き合わせ箇所において、それぞれの構成部分の間の固定的及び／又はしっかりとした結合が、重要である。それぞれ材料選択に応じて、車両ボディ２及び／又は長手支持体８の互いに結合すべき構成部分の間の相互の結合は、ラミネートプロセスによって行うこともできる。
【００６９】
図７に示す、車両ボディ２及び／又は長手支持体８の横断面の実施例において、同様に底アセンブリ９、ルーフアセンブリ１０及び２つの長手壁１１、１２が見られる。ここでも底構造１３内に中央の長手支持体８を収容するために、上述した収容通路２３が設けられている。
【００７０】
２つの長手壁１１、１２は、車両ボディ２の外側の境界の領域内に配置されて、底アセンブリ９とルーフアセンブリ１０の間に好ましくはつながって延びている。これら２つのアセンブリ９、１０とのしかるべき堅固な結合は、同様に設けることができる。同様にここでも、２つの長手壁１１、１２と１つ又は複数の横壁１４との固定的な安定した結合を行うことができる。
【００７１】
ここに示す実施例において、２つの長手壁１１、１２の安定した形態に基づいて、ルーフアセンブリ１０は、図６においてすでに示されているものよりは、小さい支持機能で形成することができる。
【００７２】
今まで説明したすべての実施例において、長手支持体８は底アセンブリ９の底構造１３内にルーフアセンブリ１０の方向に深くなるように収容されている。さらに破線によって、長手支持体８が底構造１３内に設けられた収容通路２３内に配置又は収容できることも、示唆されており、その収容通路２３はルーフアセンブリ１０とは逆の側において深くなるように底構造１３内に形成されている。したがって収容通路２３は、載置面７の方向に底構造１３の底下側２４を越えて張りだしている。
【００７３】
図６と７に示す、車両ボディ２の２つの横断面において、それぞれルーフアセンブリ１０は、大体において、あるいはほぼ平面的な形成を有している。
【００７４】
図８には、車両ボディ２と長手支持体８の他の、場合によってはそれ自体自立した実施形態が示されており、その場合にここでも先行する図１から７におけるのと同一の部分には同一の参照符号もしくは構成部品名称が使用される。不必要な繰り返しを避けるために、先行する図１から７における詳細な説明が参照するよう指示され、もしくは参照される。
【００７５】
ここでも車両ボディ２は底アセンブリ９、ルーフアセンブリ１０、２つの長手壁１１、１２及び横壁１４を有している。ここに示される横壁１４は、切り欠きもしくは切り抜きを有することができ、それによって車両ボディ２の内部にある収容室が拡大され、あるいは重量も削減される。
【００７６】
上述した外側に平面的に形成されているルーフアセンブリ１０とは異なり、ここではルーフアセンブリ１０が、たとえば梯子、ロッド、パイプ又は移送ボックスなどのような、ルーフの領域内で携行すべき装備対象と用具を収容するために、車両長手方向に対して横方向に段付きの、もしくは変位した構造を有することができることが、示されている。
【００７７】
すなわちルーフアセンブリ１０は、たとえば左のルーフ支持体２６と右のルーフ支持体２７を有することができる。付加的に、ルーフアセンブリ１０はさらに、左と右のルーフ支持体２６、２７を結合する少なくとも１つのルーフエレメント２８を有することができる。ルーフアセンブリ１０内に複数の分配して配置された収容領域を形成しようとする場合には、ルーフアセンブリ１０が少なくとも１つの他のルーフ支持体２９を有することが可能である。しかし好ましくは２つの他のルーフ支持体２９を、車両長手方向に関して垂直の方向に互いに離隔して配置することができる。さらに少なくとも１つの他のルーフ支持体２９は、車両長手方向に関して垂直の方向に、左のルーフ支持体２６と右のルーフ支持体２７の間に配置されている。さらに、少なくとも１つの他のルーフ支持体２９が同様にルーフエレメント２８と結合され、特に固定的又はしっかりと結合されることも、可能である。
【００７８】
支持構造全体を安定して堅固に形成するために、ルーフアセンブリ１０、特にルーフ支持体２６、２７、２９が横壁１４の少なくとも１つと堅固に結合されていると、さらに効果的である。それによってルーフアセンブリ１０は圧力ベルトとして、自己支持する車両ボディ２の形成に一緒に結合することができる。
【００７９】
図９は、図５に示され、かつ記述されているような、緊急車両１のための車両ボディ２と長手支持体８の可能な横断面を示している。中央の長手支持体８は、つながりあった底アセンブリ９を形成するために、底構造１３の収容通路２３内に収容されている。さらに、底アセンブリ９とルーフアセンブリ１０の間に、複数の横壁１４が設けられ、もしくは配置されている。第２の変位したルーフ領域２２内の横壁１４の垂直の組み立て高さが小さいことに基づいて、２つの長手壁１１、１２も小さい組立て高さしか有していない。長手支持体８を補強するために、２つの長手壁１１、１２は、長手支持体８に関してほぼ横方向の変位なしで、すぐその上方に配置されている。ルーフアセンブリ１０は、ここでもたとえばサンドイッチ構造によって実現することができ、それによって車両ボディの充分に堅固な圧力ベルトを形成することができる。
【００８０】
さらにここでは車両ボディ２の側方に、車輪ペア３、４の負荷を除くために、ずっと以前から知られているように、付加的に支持装置３０を設けることが、示されている。したがって緊急車両１の載置面を拡大し、さらに載置安全性を改良することができる。
【００８１】
一般的に指摘しておくが、横壁１４と２つの長手壁１１、１２の少なくとも１つをルーフアセンブリ１０との結合において可変に配置するための、ここで提供される可能性によって、車両ボディ２によって画成される収容室を様々な部分室へ分割するための高い自由度が提供される。図６には、複数の部分室３１が記入されている。そのようにして、互いに分離された個々の部分室３１内に、装備対象、アグリゲート、ボックス、コンテナ又は１つの積み込み室のみを収容するためのあらかじめ定められたスペースを提供することができる。それぞれ配置に応じて、少なくとも１つの部分室３１は、消火剤及び／又は補助消火剤用のタンクを形成することもできる。また、緊急車両１が、車両ボディ２によって画成される収容室の内部に少なくとも１つの自立したタンク、特に消火剤タンクを有することも可能であって、その場合に自立したタンクは、中央の長手軸８及び／又は底アセンブリ９と堅固に結合されている。
【００８２】
複数の実施例は、可能な実施変形例を示すものであって、その場合にここに記録しておくが、本発明は具体的に示されたその実施変形例に限定されるものではなく、むしろ個々の実施変形例を互いに様々に組み合わせることも可能であって、これらの変形可能性は、具体的な発明による技術的に取り扱うための教示に基づいて、この分野で活動する当業者の裁量の範囲内にある。
【００８３】
保護領域は、請求項によって定められている。しかし明細書と図面は、請求項を解釈するために利用される。図示され、かつ説明された様々な実施例からの個別特徴又は特徴の組合せは、それ自体自立した解決を表すことができる。自立した進歩的解決の基礎となる課題は、明細書から読み取ることができる。
【００８４】
具体的な説明内の値領域についてのすべての記載は、その任意の部分領域とすべての部分領域を共に含むものであって、たとえば記載１から１０は、下限の１と上限の１０から始まるすべての部分領域、すなわち下限の１またはそれ以上で始まり、上限の１０またはそれ以下で終了する、たとえば１から１．７、または３．２から８．１、あるいは５．５から１０のすべての部分領域、を一緒に含んでいるものとする。
【００８５】
最後に形式的に指摘しておくが、構造を理解しやすくするために、部材は部分的に縮尺どおりではなく、かつ／又は拡大及び／又は縮小して示されている。
【符号の説明】
【００８６】
１    緊急車両
２    車両ボディ
３    前輪ペア
４    後輪ペア
５    フロント側
６    リア側
７    載置面
８    長手支持体
９    底アセンブリ
１０    ルーフアセンブリ
１１    左の長手壁
１２    右の長手壁
１３    底構造
１４    横壁
１５    保持フレーム
１６    窓ガラス
１７    外側被覆
１８    運転者キャビン
１９    終端横支持体
２０    第１のルーフ領域
２１    中間領域
２２    第２のルーフ領域
２３    収容通路
２４    底下側
２５    中央長手平面
２６    左のルーフ支持体
２７    右のルーフ支持体
２８    ルーフエレメント
２９    ルーフ支持体
３０    保護装置
３１    部分室
【図１】
2019531219.tif 000003
【図２】
2019531219.tif 000004
【図３】
2019531219.tif 000005
【図４】
2019531219.tif 000006
【図５】
2019531219.tif 000007
【図６】
2019531219.tif 000008
【図７】
2019531219.tif 000009
【図８】
2019531219.tif 000010
【図９】
2019531219.tif 000011
【手続補正書】
【提出日】平成30年7月4日(2018.7.4)
【手続補正１】
【補正対象書類名】明細書
【補正対象項目名】全文
【補正方法】変更
【補正の内容】
【発明の詳細な説明】
【技術分野】
【０００１】
本発明は、トラックとして形成された緊急車両、特に消防車両に関する。
【背景技術】
【０００２】
ある特許文献は、乗用車として形成された自動車の底支持構造を記述している（例えば、特許文献１参照。）。底支持構造は、車両中央にあって、車両長手方向に延びる中央トンネルを有しており、その中央トンネルが閉成された中空プロフィールからなり、かつトラクションバッテリを保護して収容するための容器として用いられる。中央トンネルの両側には、それぞれトンネル長手支持体、底シートが、そして外側にはロッカーパネルが配置されている。底支持構造の平面内かつ中央トンネルの長手方向に、それぞれトンネル長手支持体側のフランジが中空プロフィールに形成されている。中央トンネルは、自動車下側からトンネル長手支持体の間の領域内へ導入することによって、フランジを用いてトンネル長手支持体と結合可能である。その場合に支持する底構造は、それぞれトンネル長手支持体、底シート及び外側のロッカーパネルによって形成されている。中空プロフィールとして形成された中央トンネルは、トラクションバッテリを保護して収容するためだけに用いられ、かつその長手方向の延びの方向の両側において、支持する長手支持体と結合可能であり、それによってその長手支持体に保持される。トラクションバッテリを交換するためには、中央トンネルをその中に収容されているトラクションバッテリと共に取り出して、除去することができる。
【０００３】
別の特許文献も、乗用車として形成された車両を記述している（例えば、特許文献２参照。）。車両は、車輪ペアの間の中央に配置された支持体からなるフレームを有し、その支持体にフロントモジュール、底モジュール及びリアモジュールが取り付けられている。この底側にある支持する構造に、ルーフ構造がその回りにある窓と共に取り付けられている。
【０００４】
さらに別の特許文献からは、乗用車用の車両ボディの支持構造が知られている（例えば、特許文献３参照。）。支持構造は、少なくとも１つの中央トンネルと背壁ユニットを有しており、その背壁ユニットが少なくとも１つの第１の荷重パスを形成しながら少なくとも中央トンネルと結合されている。背壁ユニットが支持ユニットを有しており、その支持ユニットが第２の荷重パスを形成するために支持構造の中央トンネルと結合されている。背壁ユニットは、付加的に少なくともシート横支持体及び／又はＢピラー及び／又は支持構造のルーフ支持ユニットと結合されている。背壁ユニットと中央トンネルの間の付加的な支持ユニットによって、支持構造の剛性を増大させるための第２の荷重パスが形成され、その支持ユニットを介して、発生する負荷を支持構造内へ導入することが改良され、かつ支持構造内のこの負荷を均一に分配することができる。したがって発生する負荷は、支持構造の２つの荷重パス内へ導入することができる。特に中央トンネルにトーション負荷がかかった場合に、中央トンネルから発生する応力が支持ユニットを介して背壁ユニットへ案内される。それに基づいて中央トンネル内のトーション負荷の削減がもたらされる。支持ユニットを介して、構造的に簡単かつコスト的に好ましいやり方で、発生する負荷を定められたように崩壊させ、かつ／又は背壁へ伝えることができ、それによって車両ボディの強度を改良することができる。付加的な支持ユニットが、客室と車両後部との間のボディ構造の剛性を高めるので、後部衝突の場合に車両搭乗者の保護が改良されている。
【０００５】
さらに別の特許文献も、モノコック構造の乗用車としての車両の形成のみを記述している（例えば、特許文献４参照。）。熱可塑性材料から成形された下方のボディに、上方のボディが固定される。上方のボディは、透明な熱可塑性樹脂から形成されている。下方のボディは、プレート形状に形成されており、かつ側方を一周する、プレートから立ち上がるフランジセクションと中央に延びるように配置された補強リブとを有している。下方のプレート形状のボディは、その上に配置されてそのボディに固定された上方のボディを支持しており、その上方のボディは複数の上方のボディ部分から形成することができる。
【０００６】
さらに別の特許文献からは、モータ車両の支持するように形成された底シャーシが知られている（例えば、特許文献５参照。）。底シャーシは、フロント側に配置されたブームとリア側に配置されたフランジプレートとを備えた、プレート形状に形成された構造を有している。プレート形状に形成された構造の長手方向の延びの方向において、車両中央に中央の応力を支持する部材がトンネル形状で配置されている。トンネル形状の部材は、フロント側に配置されたブーム及びリア側に配置されたフランジプレートと堅固に結合されている。
【０００７】
さらに別の特許文献も、カブリオレとして形成された乗用車のためのフレームを記述している（例えば、特許文献６参照。）。底プレート上に、Ｕ字形状の横断面を有する、中央に配置された支持体が固定されている。底プレートの回りに側壁、背壁ユニット及びフロントユニットがそれに固定されている。
【０００８】
さらに別の特許文献は、乗用車として形成された、ルーフ領域内に結合配置を有する自動車を記述している（例えば、特許文献７参照。）。その場合に結合配置は、特殊ルーフ用の補強フレームと自動車ボディとの間に設けられており、それは、２ドアの乗用車においても、４ドアのそれにおいても、使用することができる。
【０００９】
さらに別の特許文献からは、有用車両の運転者ハウス用のルーフ構造が知られている（例えば、特許文献８参照。）。その場合にルーフ長手支持体とルーフ横支持体のためのロールプロフィールが様々な長さで、そして必要な場合には様々なフランジをもって形成されることにより、様々なルーフモジュールのために同一部品が使用される。したがってルーフ構造は実質的に３つの異なる種類のプロフィールに、すなわち長手支持体プロフィール、横支持体プロフィール及びピラープロフィールに削減することができる。
【００１０】
さらに別の特許文献は、乗用車として形成された自動車を記述している（例えば、特許文献９参照。）。未加工ボディのルーフ構造は、前方及び後方の横バーと右と左のサイドバーとを有し、その場合にモジュールルーフが少なくとも２つのルーフモジュールエレメントを有しており、それらが直接ルーフ構造に固定されている。ルーフモジュールエレメントは、好ましくはルーフ構造の幅全体にわたって延びており、かつ対向するサイドバーに、特に取り外し可能に固定されている。
【００１１】
車両建造において、トラックの場合にボックス形車両の概念は、ボックス形の構造のボディが運転者室もしくは運転者キャビンを有する構造的ユニットを形成する構造であった。ボックス形状の構造全体が、中間フレーム上に構築されており、その場合にボックス形状の構造の中間フレームが車両支持フレーム上に取り付けられて、それによって支持されていた。最近においては、トラックにおけるボックス形状の組立て形状は、いわゆるトランク構造に引き継がれた。その場合に車輌支持フレームに運転者室もしくは運転者キャビンが傾くことができるように支承された。それによってボックスとの一貫した固定の結合は形成することができなくなった。というのは、固定的に結合されたボックスと共に運転者室を傾けることは、不可能になるからである。車両フレームは、中央の中央フレーム又は長手フレームを有し、それにそれぞれの車輪ペア、駆動コンポーネント、燃料タンク及び他のコンポーネントが保持されている。車両フレームの中央フレーム又は長手フレーム上に、ボックス形状の構造全体か、あるいは運転者室もしくは運転者キャビンと専用のトランク構造が、それぞれ自己支持する構造として付加的な支持フレームを介在させて支持されていた。これらの車両構造における欠点は、車両フレーム上に専用の支持するボックス形状の構造又は運転者室及び自己支持するトランク構造が設けられることである。
【００１２】
さらに、車両におけるフレーム構造も知られており、それにおいて車両フレームがいわゆる中央パイプフレームによって形成されていた。中央パイプフレームは、支持する中央の構造部材として形成されており、それが他の、大体において構造的負荷を受けない車両部材を収容する。したがって中央パイプフレームが、支持しないボディの下方に支持する構造を形成している。
【先行技術文献】
【特許文献】
【００１３】
【特許文献１】独国特許出願公開第１０２０１００３２０７２号明細書
【特許文献２】仏国特許出願公開第２９６０５０６号明細書
【特許文献３】独国特許出願公開第１０２０１００２０３１３号明細書
【特許文献４】欧州特許出願公開第３０１２１７５号明細書
【特許文献５】米国特許第３２７９８１６号明細書
【特許文献６】米国特許第２４８８９７８号明細書
【特許文献７】欧州特許出願公開第１４８８９８６号明細書
【特許文献８】独国特許出願公開第１０２０１２１０６４５１号明細書
【特許文献９】国際公開第０１／９４１４１号
【発明の概要】
【発明が解決しようとする課題】
【００１４】
本発明の課題は、従来技術の欠点を克服して、車両ボディがつながりあった構造ユニットを形成し、かつそれがコンパクトな全体構造を有するような、緊急車両を提供することである。さらにまた、重量を削減する構造ユニットを形成しようとしている。
【課題を解決するための手段】
【００１５】
この課題は、請求項に記載された緊急車両によって解決される。
【００１６】
本発明に係る緊急車両は、トラックとして形成されており、特に消防車両として消防隊出動に用いられ、あるいは人又は対象の救出及び／又は救護に用いられる。緊急車両は、フロント側と、車両長手方向においてそれから離隔したリア側とを有しており、かつ
−底アセンブリ、ルーフアセンブリ及び左の長手壁と右の長手壁を備えた車両ボディを有し、その場合にそれらの長手壁が底アセンブリとルーフアセンブリの間に配置されており；
−中央の長手支持体を有し、その長手支持体が車両長手方向に延びるように配置されており、その場合に
−底アセンブリが底構造を有し、かつ底構造が中央の長手支持体と直接堅固に結合されており、かつその場合に
−中央の長手支持体が車両ボディの底アセンブリの統合された構成部分を形成し、
−少なくとも１つの前輪ペアと少なくとも１つの後輪ペアを有し、その場合に少なくとも２つの車輪ペアが中央の長手支持体に保持されており；
−駆動ユニットを有し、その駆動ユニットが車輪ペアの少なくとも１つと駆動結合されており、かつ
−底アセンブリが、車両ボディのアンダーベルト、特に引っ張りベルトを形成し、
−ルーフアセンブリが、車両ボディのオーバーベルト、特に圧力ベルトを形成し、
−車両ボディが、複数の横壁を有し、
−横壁の少なくともいくつかが、底アセンブリの中央の長手支持体と直接堅固に結合されており、
−横壁の少なくともいくつかが、車両ボディの長手壁の少なくとも１つと堅固に結合されており、
−車両ボディが運転者キャビンを有し、その運転者キャビンが車両ボディの統合された構成ユニットを形成し、
−中央の長手支持体が車両ボディと直接堅固に結合されており、かつ
車両ボディが、その中に統合された長手支持体と共にフロント側からリア側へ、構造的な一貫してつながり合った構造を形成している。
【００１７】
それによって得られる利点は、中央の長手支持体を車両構造と、すなわち車両ボディと統合することによって、コンパクトな自己支持する構造を提供することができ、それによって車両構造を形成する際に付加的な中間フレームを省くことができることにある。中央の長手支持体は、底側に配置されているので、この長手支持体は底アセンブリ内に統合されることによってこの底アセンブリと共に他のボディ部分と協働して自己支持する全体構造となる。さらに中央の長手支持体を統合し、かつそうでない場合には必要とされる中間フレームを省くことによって、一方で重量を削減することができ、他方では車両構造の内部の付加的な収容室を提供することができる。すなわち、もはや中間フレームが必要とされないにもかかわらず、安定した支持構造全体を形成することができる。
【００１８】
底アセンブリは、車両ボディのアンダーベルト、特に引っ張りベルトを形成する。中央の長手支持体を底アセンブリ内へ統合することによって、トラックとして形成されている車両のために、支持可能な充分に中実のベースを形成することができる。
【００１９】
さらに、底アセンブリが底構造を有しており、その場合に底構造が中央の長手支持体と直接堅固に結合されている。すなわち底構造を設けることによって、車両ボディの底領域内にまとまった構成ユニットを形成することができ、その構成ユニットが付加的に、長手壁もしくは側壁へ至るまでの充分な剛性と強度を形成する。
【００２０】
車両ボディは、さらに複数の横壁を有している。車両ボディの内部に複数の横壁を設けることによって、車両ボディ全体を付加的に補強することができる。さらにそれによって、それぞれ選択された横壁の組立て高さに応じて、底アセンブリからのルーフアセンブリの充分な離隔も得ることができる。さらに横壁は、車両ボディの内部にある収容室を個々の区画に分割するために、用いることもできる。
【００２１】
さらに、横壁の少なくともいくつかが、底アセンブリの中央の長手支持体と直接堅固に結合されている。したがって充分に安定した、堅固な車両ボディを形成することができる。
【００２２】
さらに、横壁のいくつかが、車両ボディの長手壁の少なくとも１つと堅固に結合されている。長手壁を少なくとも１つ設けて、それを１つ又は複数の横壁と結合することによって、車両ボディのさらに安定した全体構造を得ることができる。
【００２３】
ルーフアセンブリが、車両ボディのオーバーベルト、特に圧力ベルトを形成する。ルーフアセンブリ全体を車両ボディの形成もしくは構造内へ一緒に取り入れることによって、それも同様に支持する構成ユニットとして用いることができる。したがって底アセンブリ及び横壁と長手壁による２つのアセンブリの互いに対する離隔と共に、それぞれ要請に応じて自己支持する全体構造を形成することができる。
【００２４】
さらに、車両ボディが運転者キャビンを有しており、その場合に運転者キャビンが車両ボディの一体的な構成ユニットを形成する。その場合に運転者キャビンは、底アセンブリの部分セクション、ルーフアセンブリの部分セクション、長手壁の部分セクションによって、かつそれぞれ大きさと収容能力に応じて、少なくとも２つの横壁によって画成されている。すなわち緊急車両の一貫した、つながり合った構成ユニットを形成することができる。したがって運転者キャビン全体を車両ボディの車両構造内へ統合することに基づいて、さらに良好なつながり合った、自己支持する構造を形成することができる。
【００２５】
さらに、長手支持体が、多角形の横断面を有する中空プロフィールボディとして形成されていると、効果的である。長手支持体を中空プロフィールボディとして形成することによって、その高い固有強度を得ることができる。しかしさらに、長手支持体の内部に、たとえば駆動コンポーネント、燃料、消火剤、消火用水などのための、収容室を形成することができる。好ましくは矩形の横断面が選択され、それが構造的なやり方で底アセンブリ内へ統合され、かつきわめて多様な固定可能性も有することができる。
【００２６】
他の形成においては、底構造内に収容通路が配置され、あるいは形成されており、その収容通路が車両長手方向に延びており、かつ中央の長手支持体が少なくとも領域的に収容通路内に収容されている。したがって底構造内に収容通路を設け、もしくは形成することによって、底アセンブリの内部に中央の長手支持体をさらに場所をとらないように収容することができる。
【００２７】
他の実施形態は、収容通路が底構造の底下側から始まってルーフアセンブリの方向に深くなるように底構造内に配置されていること、及び／又は収容通路がルーフアセンブリとは逆の側へ深くなるように底構造内に配置されていることを、特徴としている。底構造に収容通路を形成することによって、さらに、中央の長手支持体と協働して、底構造の付加的な補強を得ることができる。
【００２８】
さらに、横壁の１つが車両ボディのフロント側を形成し、かつ保持フレーム及び保持フレーム内に保持された少なくとも１つの窓ガラスを有していると、効果的であり得る。横壁を車両ボディの支持する構成部分として統合することによって、車両のフロント側を支持する構成部分として一緒に形成することもできる。窓ガラスが保持フレームに充分安定して固定されている場合に、一番前の横壁は、車両ボディを形成する場合に支持する機能を行使することもできる。
【００２９】
他の代替的な形態は、横壁の少なくともいくつかが、車両長手方向に関して垂直の方向に方向づけされた横平面内に配置されていることを、特徴としている。それによって走行駆動の間の、底アセンブリから始まって車両ボディ全体へ伝達される、車両ボディのねじれを最小限に抑えることができる。
【００３０】
他の好ましい実施形態は、ルーフアセンブリが少なくとも１つのルーフ支持体及び少なくとも１つのルーフ支持体と結合された少なくとも１つのルーフエレメントを有することを、特徴としている。それによってルーフアセンブリの安定した、支持する構造を提供することができる。
【００３１】
さらに、ルーフアセンブリが左のルーフ支持体、右のルーフ支持体及び少なくとも１つの他のルーフ支持体を有しており、その少なくとも１つの他のルール支持体が車両長手方向に関して垂直の方向において左のルーフ支持体と右のルーフ支持体の間に配置されており、かつ少なくとも１つの他のルーフ支持体が同様にルーフエレメントと結合されていると、効果的であり得る。すなわち複数のルーフ支持体を設けることによって、車両のルーフ領域内にその強化だけでなく、持ち運ぶべき、もしくは携行すべき装備対象のための少なくとも１つの収容室も提供することができる。
【００３２】
他の実施形態は、２つの他のルーフ支持体が設けられており、かつ２つの他のルーフ支持体が車両長手方向に関して垂直の方向に互いに離隔して配置されていることを、特徴としている。それによってルーフアセンブリ全体の固有剛性を、さらに改良することができる。
【００３３】
他の可能な実施形態は、ルーフ支持体の少なくともいくつかが、横壁の少なくとも１つと堅固に結合されている、という特徴を有している。したがって車両構造の支持能力を改良し、かつ増大させることができる。
【００３４】
他の形成において、車両ボディはさらに、少なくともセクション的に配置された外側被覆を有している。すなわち付加的な外側被覆を設けることによって、それぞれ必要に応じて、車両ボディの外側の終端を形成することができる。
【００３５】
そして他の好ましい実施形態は、車両ボディが長手支持体と共に自己支持する構造を形成することを、特徴としている。それによって個別の顧客要望に迅速に反応し、かつそれによりよく応じることができる可能性を提供する、構造原理を提供することができる。
【００３６】
本発明をさらによく理解するために、以下の図を用いて本発明を詳細に説明する。
図は、著しく簡略化された図式的な表示である。
【図面の簡単な説明】
【００３７】
【図１】緊急車両として形成されたトラックを示す側面図である。
【図２】緊急車両の簡単な構造を示す側面図である。
【図３】緊急車両の他の簡単な構造を示す側面図である。
【図４】緊急車両の他の可能な構造を側面及び簡単な表示で示している。
【図５】緊急車両の他の簡単な構造を示す側面図である。
【図６】緊急車両の可能な構造を簡単な表示で示す横断面図である。
【図７】緊急車両の他の可能な構造を簡単な表示で示す横断面図である。
【図８】緊急車両の他の可能な構造を簡単な表示で示す横断面図である。
【図９】図５に示す緊急車両の可能な構造を横断面及び簡単な表示で示している。
【発明を実施するための形態】
【００３８】
最初に記録しておくが、異なるように記載される実施形態において、同一の部分には同一の参照符号ないし同一の構成部分名称が設けられており、その場合に説明全体に含まれる開示は、同一の参照符号ないし同一の構成部分名称を有する同一の部分へ意味に従って移し替えることができる。また、説明内で選択される、たとえば上、下、側方などのような位置記載は、直接説明され、かつ示される図に関するものであって、この位置記載は位置が変化した場合には意味に従って新しい位置へ移し替えられる。
【００３９】
以下において「特に」という概念は、それが可能な特殊な形成あるいは対象又は方法のより詳しい詳細化であることができるが、無条件にその必然的な好ましい実施形態又は必然的なやり方を表すものではない。
【００４０】
図１には、緊急車両１が簡略化された側面図で示されている。緊急車両１は、きわめて多様な使用目的のために用いることができ、特に消防車、自治体車両として、あるいは移送車両としても用いることができる。さらに緊急車両１は、この実施例においては、いわゆるトラックとして形成されており、車両ボディ２、少なくとも１対の前輪３及び少なくとも１対の後輪４を有している。シングルホィールの代わりに、デュアルホィールを使用することも可能である。
【００４１】
ここに図示される実施例において、緊急車両の可能な形状が、消防車として示されている。車両ボディ２内に、きわめて多様な収容区画及び／又は収容ボックスを設けることができ、それによって出動のために必要な装備対象、工具及び多くの物を配置して携行することができる。そのために収容区画及び／又は収容ボックスは、移送のためにドア、シャッター又は他の閉鎖部材によって閉鎖されて、必要に応じて接近することができる。
【００４２】
見やすくするために、駆動ユニット又は他のユニットもしくは構成部分コンポーネントの表示は、省かれている。
【００４３】
緊急車両１は、フロント側５及び車両長手方向にそれから離隔したリア側６を有しており、それによって組立て長さもしくは車両長さが定められている。さらにここでは、緊急車両１が好ましくは水平に方向づけされた載置面７上に載置され、もしくは支持されていることが、示されている。
【００４４】
緊急車両１の原理的な構造は、車両ボディ２と中央の長手支持体８によって形成されている。ここでは、特に個々の車輪ペア、駆動部材及び他の多数のコンポーネントを支持するように形成された構造である。この全体構造は、車両構造と称することもできる。
【００４５】
中央の長手支持体８は、車両ボディ２と共に自己支持する構造を形成する。車両ボディ２自体は、底アセンブリ９、ルーフアセンブリ１０及び左の長手壁１１及び／又は右の長手壁１２を有している。その場合に見る方向は、ノーマルな通常の走行方向に選択されている。この実施例において、左の長手壁１１も右の長手壁１２も示され、かつ記述されており、その場合に２つの長手壁１１、１２の１つのみを設けることも、可能である。２つの長手壁１１、１２の各々は、底アセンブリ９とルーフアセンブリ１０の間に配置されている。中央の長手支持体８は、走行方向に見て、好ましくは緊急車両１、特にその車輪ペア３、４に関して中央に、かつ車両長手方向に延びるように配置されている。少なくとも２つの車輪ペア３、４は、好ましくは中央の長手支持体８に保持されており、その場合にその固定及び駆動は、見やすくする理由から詳細には示されていない。詳細には示されず、説明されない駆動ユニットは、車輪ペア３、４の少なくとも１つと駆動結合されている。
【００４６】
中央の長手支持体８は、コアパイプと称することもでき、中空プロフィールボディとして形成されており、それが好ましくは多角形の横断面を有している。それぞれ長手支持体８の負荷に従って、材料としてたとえばアルミニウム、種々のアルミニウム合金及び／又はきわめて多様な添加物を有する鋼とそれから形成される合金を選択することができる。しかしまた、複合材料、ラミネート、コンポジット材料などを使用することも、可能である。すなわち長手支持体８は、プロフィール材及び／又はエッジをつけたシートからつながり合った１つの構成部分にまとめることができる。上述した材料のすべてまたはそれに基づく可能な材料の組合せも、長手支持体８を形成する場合だけでなく、車両ボディ２、特に後述する構成部分コンポーネントを形成するためにも、使用することができる。それはたとえば、底アセンブリ９、ルーフアセンブリ１０、側壁もしくは長手壁１１、１２、底構造１３、外側被覆１７及び横壁１４とすることができる。複合材料を選択する場合に、それぞれ形成方法に従って、少なくとも１つの長手壁１１、１２、横壁１４、ルーフアセンブリ１０及び場合によっては底アセンブリ９からなる共通の構成ユニットにまとめることができる。
【００４７】
さらに中央の長手支持体８は、直接車両ボディ２と堅固に結合されており、特に螺合され、リベット止めされ、かつ／又は部分的に材料結合で結合されている。中央の長手支持体８は、さらに、車両ボディ２の底アセンブリ９の統合された構成要素を形成する。これは、車両ボディ２が、通常のように支持する長手支持体８上に構築されて、支持する中間フレームが中央の長手支持体８上に支持されるのではなく、中間フレームが完全に省かれることを、意味している。したがって中央の長手支持体８は、底アセンブリ９と共に車両ボディ２のアンダーベルト、特に引っ張りベルトを形成する。
【００４８】
次の図２から９には、緊急車両１を形成するための自己支持する構造の個々の構成部分コンポーネントの可能な様々な配置及びその様々な形成が示されている。自己支持する構造の原理的な構造が、図３から９に著しく様式化して示されている。
【００４９】
すなわち図２には、車両ボディ２と長手支持体８を有する緊急車両１を形成するための、自己支持する構造が示されている。車両ボディ２の底アセンブリ９は、長手支持体８に加えてさらに底構造１３も有することができ、その底構造は長手支持体８から始まってそれぞれ２つの長手壁１１、１２まで延びている。底構造１３は、下方の角部領域もしくは長手端縁領域内で、それぞれ長手壁１１、１２と堅固に結合することができる。安定した自己支持する構造を形成するために、底構造１３は中央の長手支持体８と直接堅固に結合されている。
【００５０】
車両ボディ２は、少なくとも１つの横壁１４、しかし大体において複数の横壁１４を有しており、それらは荷重を逃がす横リブとして形成されている。横壁１４の各々は、車両ボディ２の長手方向の延び、あるいは車両長手方向に関して横方向に、特に垂直方向に方向づけされている。それぞれ形成と配置に従って、横壁１４は長手壁１１、１２の少なくとも１つと共に、同様に支持する構成ユニットとして結合されている。２つの長手壁１１、１２が設けられている場合に、好ましくは２つの長手壁１１、１２と横壁１４の堅固な結合も行われる。
【００５１】
さらにここでは、車両ボディ２のフロント側５を形成する横壁１４も、保持フレーム１５及び保持フレーム１５内に保持される少なくとも１つの窓ガラス１６を有している。
【００５２】
底アセンブリ９の領域内でも、充分な固有強度を達成するために、横壁１４の少なくとも１つが底アセンブリ９の中央の長手支持体８と直接堅固に結合されている。さらに、横壁１４を底構造１３と少なくとも領域的に堅固に結合することも、できる。
【００５３】
ルーフアセンブリ１０は、車両ボディ２のオーバーベルト、特に圧力ベルトを形成している。
【００５４】
付加的に、車両ボディ２はさらに、少なくともセクション的に配置された外側被覆１７を有することができる。外側被覆１７は、２つの長手壁１１、１２の少なくとも１つに加えて設けること、もしくは配置することができ、あるいは少なくともセクション的に２つの長手壁１１、１２の少なくとも１つ自体を形成することができ、したがって固有強度を高めることを支援する。しかし好ましくは、２つの長手壁１１、１２は支持する構成部分として用いられ、あるいは支持する構成部分として形成されている。外側被覆１７は、車両ボディ２の外側全体を覆うように配置することもできる。外側被覆１７に数えられるのは、シャッター、ドア、スライドドア又は他の閉鎖部分である。
【００５５】
現在一般的なトラックにおいては、専用の運転者キャビンが設けられており、それが車両フレームもしくはシャーシに傾き可能もしくは倒すことができるように、支承され、かつ保持されている。この実施例において示される車両ボディ２においては、車両ボディが一体的な構成ユニットとして、さらに運転者キャビンも一緒に有している。したがって運転者キャビンは、同様に緊急車両１の自己支持する構造の堅固かつ固定的な構成要素である。すなわち車両ボディ２は、その中に統合されている長手支持体８と共に、フロント側５からリア側６へ構造的につながりあった構造を形成している。
【００５６】
中央の長手支持体８は、運転者キャビンの下方の領域から始まって少なくとも後輪ペア４を越えて車両長手方向につながって延びている。
【００５７】
緊急車両１の組立て高さと車両幅は、それぞれの法律的規定に従って選択することができる。
【００５８】
中央の横壁１４の配置は、必要に応じて、かつ必要とされるスペース需要及び個別の使用目的に応じて自由に選択することができる。すなわち運転者キャビン１８のフロント側５だけでなく、リア側６を形成するために用いられる横壁１４も、専用の横壁１４によって形成することができる。
【００５９】
図２に示す実施例において、車両ボディ２のリア側の領域は、好ましくは垂直方向に高さ変位可能な積み卸しプラットフォームを有する、詳しく図示されない積み卸し配置を収容するように形成されている。したがって支持する横壁１４は、リア側６からフロントエンドもしくはフロント側５の方向に離隔して配置されている。長手支持体８に、１つの前輪ペア３及び１つの後輪ペア４のみが保持されている。長手支持体８の長手方向の延びは、後輪ペア４のすぐ後方で終了しており、それによって車両ボディ２の内部にリア側の自由空間が形成される。
【００６０】
図３には、緊急車両１の他の可能な形成が、その車両ボディ２及び統合された長手支持体８と共に示されている。原理的な自己支持する構造は、ここでも実現されている。したがって、不必要な繰り返しを避けるために、図１と２における詳細な説明が参照するよう指示され、もしくは参照される。ここでも先行する図１と２におけるのと同一の部分には同一の参照符号もしくは構成部品名称が使用される。場合によっては、この形成は、それ自体自立した実施形態を形成することができる。
【００６１】
緊急車両１を形成するための自己支持する構造は、ここでも車両ボディ２と長手支持体８を有している。さらに車両ボディ２は、上述した底アセンブリ９、ルーフアセンブリ１０、２つの長手壁１１、１２及び好ましくは複数の横壁１４を有している。これらすべての構成部分もしくは構成部分グループは、自己支持する構造になるように互いに堅固かつ固定的に結合されている。
【００６２】
ここではさらに、緊急車両１が図２に示す緊急車両１に対して、さらに大きく、あるいはさらに長い車両長さを有していることが、見られる。そのために、２つの後輪ペア４を設けることができる。
【００６３】
車両ボディ２のリアエンドは、底側に、ルーフアセンブリ１０から底アセンブリ９へ下降する斜面を有している。これは、斜めにカットされたリアと称することもできる。長手支持体８は、斜めにカットされたリアもしくはリア側６まで直接延びている。運転者キャビン１８は、車両ボディ２の同様に統合された一体的な構成部分である。
【００６４】
図４に示す緊急車両１は、図１から３に記述される緊急車両１と同一の、自己支持する構造を備えた原理的構造を有している。
【００６５】
これらの形成との違いは単に、車両長さがより長いことにある。さらに、長手支持体８に２つの前輪ペア３と２つの後輪ペア４が固定されている。
【００６６】
底アセンブリ９の底側の領域内に、終端横支持体１９が設けられており、それが、車両ボディ２の支持するリア側の終端を形成している。終端横支持体１９は、長手支持体８及び／又は底構造１３とも、２つの長手壁１１、１２とも、自己支持する構造ユニットもしくは構造になるように堅固に結合することができる。
【００６７】
図５は、緊急車両１の他の、場合によってはそれ自体自立した実施形態を示しており、その場合にここでも、先行する図１から４におけるのと同一の部分には同一の参照符号もしくは構成部品名称が使用されている。不必要な繰り返しを避けるために、先行する図１から４における詳細な説明を参照するよう指示し、もしくは参照する。
【００６８】
この緊急車両１は、たとえば回転梯子、足場又は他の昇降補助手段を構築するために用いることができる。そのためにここでは、車両ボディ２はフロント側５の領域内に少なくとも１つの運転者キャビン１８と場合によってはさらにクルールーム及び／又は装備対象を収容するための収容室を有している。
【００６９】
車両ボディ２は、このセクション内で、設けられている付加的な構造に応じて適合された組立て高さを有している。
【００７０】
図１から４に示す緊急車両１とは異なり、ここでは運転者キャビン１８は、上述した実施例におけるよりもさらに低くセットして配置されている。これを可能にするために、長手支持体８は、リア側６へ向いた、好ましくは横壁１４によって形成される運転者キャビン１８のキャビン背壁で終了している。
【００７１】
ここでも底アセンブリ９とルーフアセンブリ１０が設けられている。しかしルーフアセンブリ１０は、側面図で見てフロント側５からリア側６へ段付きで形成された長手推移を有している。段付きの形成というのは、ルーフアセンブリ１０がその長手方向の延びにおいて少なくとも２つの互いに異なる平面内に延びるように配置されていることである。大体において平面内に延びるように配置された底アセンブリ９とルーフアセンブリ１０の個々の長手セクションとの間に互いに異なる間隔を実現することができる。しかしまた、ルーフアセンブリ１０において２つより多い平面を設けることも、可能である。
【００７２】
運転者キャビン１８の領域内のルーフアセンブリ１０の第１の長手セクションと、場合によってはそれに連続するボディ領域は、底アセンブリ９に関して、特に長手支持体８に関して、ほぼ平行に延びるように配置されている。ルーフアセンブリ１０のこの長手領域もしくは長手セクションは、車両長さ全体の約３分の１から半分まで延びており、かつ第１のルーフ領域２０を形成している。第１のルーフ領域２０に続いて、底アセンブリ９の方向へ下降するように形成された中間領域２１が配置され、もしくは設けられている。残りの車両長さにおいて、運転者キャビン１８もしくはルーフアセンブリ１０の第１のルーフ領域２０の領域内よりも、小さい組立て高さを有する横壁１４が形成されている。したがって、第２のルーフ領域２２の領域内もしくは長手セクション内でルーフアセンブリ１０は底アセンブリ９のすぐ上方に配置されている。自己支持する構造もしくは自己支持する構成構造は、第２のルーフ領域２２のこの長手セクション内でも、維持されている。
【００７３】
図６には、緊急車両１の自己支持する構造の可能な横断面が示されており、その場合にここでも先行する図１から５におけるのと同一の部分には、同一の参照符号もしくは構成部品名称が使用される。不必要な繰り返しを避けるために、先行する図１から５における詳細な説明が参照するよう指示され、もしくは参照される。
【００７４】
さらに車輪ペア３、４の表示が省かれており、原理的な自己支持する構成もしくは自己支持する構造のみが、さらによく、かつさらに見やすいように示されている。
【００７５】
ここに示される底アセンブリ９は、底構造１３及びそれと直接結合された中央の長手支持体８を有している。底構造１３内に収容通路２３が配置され、あるいは形成されており、その場合に収容通路２３は車両長手方向に延びている。ここではさらに、中央の長手支持体８が少なくとも領域的に収容通路２３内に収容されている。さらに、底構造１３内で収容通路２３が底構造１３の底下側２４から始まってルーフアセンブリ１０の方向へ深くなるように配置されていることも、見られる。
【００７６】
ここに示される横壁１４は、この実施例においては、車両ボディ２の外側に配置された外側被覆１７まで延びている。
【００７７】
上述した左の長手壁１１と右の長手壁１２は、ここでは横断面で見てＣ字状もしくはＵ字状の横断面を有している。２つの長手壁１１、１２は、車両ボディ２の外側の側方境界から、この実施例においては外側被覆１７から、長手支持体８の中央に延びる中央長手平面２５の方向へ、それに対して変位して配置されている。さらに２つの長手壁１１、１２は、ルーフアセンブリ１０の近傍領域内でその下方に配置されている。ここでも２つの長手壁１１、１２と１つ又は複数の横壁１４との堅固な結合が設けられている。
【００７８】
ルーフアセンブリ１０は、たとえばいわゆるサンドイッチ支持体もしくはサンドイッチプレートによって形成することができ、それが、車両ボディ２のルーフ領域全体を形成している。横壁１４、底アセンブリ９、ルーフアセンブリ１０及び２つの長手壁１１、１２の間の固定的な結合は、すでに上で説明したのと同様に行うことができる。自己支持する構造を形成することができるようにするために、それぞれの接触箇所もしくは突き合わせ箇所において、それぞれの構成部分の間の固定的及び／又はしっかりとした結合が、重要である。それぞれ材料選択に応じて、車両ボディ２及び／又は長手支持体８の互いに結合すべき構成部分の間の相互の結合は、ラミネートプロセスによって行うこともできる。
【００７９】
図７に示す、車両ボディ２及び／又は長手支持体８の横断面の実施例において、同様に底アセンブリ９、ルーフアセンブリ１０及び２つの長手壁１１、１２が見られる。ここでも底構造１３内に中央の長手支持体８を収容するために、上述した収容通路２３が設けられている。
【００８０】
２つの長手壁１１、１２は、車両ボディ２の外側の境界の領域内に配置されて、底アセンブリ９とルーフアセンブリ１０の間に好ましくはつながって延びている。これら２つのアセンブリ９、１０とのしかるべき堅固な結合は、同様に設けることができる。同様にここでも、２つの長手壁１１、１２と１つ又は複数の横壁１４との固定的な安定した結合を行うことができる。
【００８１】
ここに示す実施例において、２つの長手壁１１、１２の安定した形態に基づいて、ルーフアセンブリ１０は、図６においてすでに示されているものよりは、小さい支持機能で形成することができる。
【００８２】
今まで説明したすべての実施例において、長手支持体８は底アセンブリ９の底構造１３内にルーフアセンブリ１０の方向に深くなるように収容されている。さらに破線によって、長手支持体８が底構造１３内に設けられた収容通路２３内に配置又は収容できることも、示唆されており、その収容通路２３はルーフアセンブリ１０とは逆の側において深くなるように底構造１３内に形成されている。したがって収容通路２３は、載置面７の方向に底構造１３の底下側２４を越えて張りだしている。
【００８３】
図６と７に示す、車両ボディ２の２つの横断面において、それぞれルーフアセンブリ１０は、大体において、あるいはほぼ平面的な形成を有している。
【００８４】
図８には、車両ボディ２と長手支持体８の他の、場合によってはそれ自体自立した実施形態が示されており、その場合にここでも先行する図１から７におけるのと同一の部分には同一の参照符号もしくは構成部品名称が使用される。不必要な繰り返しを避けるために、先行する図１から７における詳細な説明が参照するよう指示され、もしくは参照される。
【００８５】
ここでも車両ボディ２は底アセンブリ９、ルーフアセンブリ１０、２つの長手壁１１、１２及び横壁１４を有している。ここに示される横壁１４は、切り欠きもしくは切り抜きを有することができ、それによって車両ボディ２の内部にある収容室が拡大され、あるいは重量も削減される。
【００８６】
上述した外側に平面的に形成されているルーフアセンブリ１０とは異なり、ここではルーフアセンブリ１０が、たとえば梯子、ロッド、パイプ又は移送ボックスなどのような、ルーフの領域内で携行すべき装備対象と用具を収容するために、車両長手方向に対して横方向に段付きの、もしくは変位した構造を有することができることが、示されている。
【００８７】
すなわちルーフアセンブリ１０は、たとえば左のルーフ支持体２６と右のルーフ支持体２７を有することができる。付加的に、ルーフアセンブリ１０はさらに、左と右のルーフ支持体２６、２７を結合する少なくとも１つのルーフエレメント２８を有することができる。ルーフアセンブリ１０内に複数の分配して配置された収容領域を形成しようとする場合には、ルーフアセンブリ１０が少なくとも１つの他のルーフ支持体２９を有することが可能である。しかし好ましくは２つの他のルーフ支持体２９を、車両長手方向に関して垂直の方向に互いに離隔して配置することができる。さらに少なくとも１つの他のルーフ支持体２９は、車両長手方向に関して垂直の方向に、左のルーフ支持体２６と右のルーフ支持体２７の間に配置されている。さらに、少なくとも１つの他のルーフ支持体２９が同様にルーフエレメント２８と結合され、特に固定的又はしっかりと結合されることも、可能である。
【００８８】
支持構造全体を安定して堅固に形成するために、ルーフアセンブリ１０、特にルーフ支持体２６、２７、２９が横壁１４の少なくとも１つと堅固に結合されていると、さらに効果的である。それによってルーフアセンブリ１０は圧力ベルトとして、自己支持する車両ボディ２の形成に一緒に結合することができる。
【００８９】
図９は、図５に示され、かつ記述されているような、緊急車両１のための車両ボディ２と長手支持体８の可能な横断面を示している。中央の長手支持体８は、つながりあった底アセンブリ９を形成するために、底構造１３の収容通路２３内に収容されている。さらに、底アセンブリ９とルーフアセンブリ１０の間に、複数の横壁１４が設けられ、もしくは配置されている。第２の変位したルーフ領域２２内の横壁１４の垂直の組み立て高さが小さいことに基づいて、２つの長手壁１１、１２も小さい組立て高さしか有していない。長手支持体８を補強するために、２つの長手壁１１、１２は、長手支持体８に関してほぼ横方向の変位なしで、すぐその上方に配置されている。ルーフアセンブリ１０は、ここでもたとえばサンドイッチ構造によって実現することができ、それによって車両ボディの充分に堅固な圧力ベルトを形成することができる。
【００９０】
さらにここでは車両ボディ２の側方に、車輪ペア３、４の負荷を除くために、ずっと以前から知られているように、付加的に支持装置３０を設けることが、示されている。したがって緊急車両１の載置面を拡大し、さらに載置安全性を改良することができる。
【００９１】
一般的に指摘しておくが、横壁１４と２つの長手壁１１、１２の少なくとも１つをルーフアセンブリ１０との結合において可変に配置するための、ここで提供される可能性によって、車両ボディ２によって画成される収容室を様々な部分室へ分割するための高い自由度が提供される。図６には、複数の部分室３１が記入されている。そのようにして、互いに分離された個々の部分室３１内に、装備対象、アグリゲート、ボックス、コンテナ又は１つの積み込み室のみを収容するためのあらかじめ定められたスペースを提供することができる。それぞれ配置に応じて、少なくとも１つの部分室３１は、消火剤及び／又は補助消火剤用のタンクを形成することもできる。また、緊急車両１が、車両ボディ２によって画成される収容室の内部に少なくとも１つの自立したタンク、特に消火剤タンクを有することも可能であって、その場合に自立したタンクは、中央の長手軸８及び／又は底アセンブリ９と堅固に結合されている。
【００９２】
複数の実施例は、可能な実施変形例を示すものであって、その場合にここに記録しておくが、本発明は具体的に示されたその実施変形例に限定されるものではなく、むしろ個々の実施変形例を互いに様々に組み合わせることも可能であって、これらの変形可能性は、具体的な発明による技術的に取り扱うための教示に基づいて、この分野で活動する当業者の裁量の範囲内にある。
【００９３】
保護領域は、請求項によって定められている。しかし明細書と図面は、請求項を解釈するために利用される。図示され、かつ説明された様々な実施例からの個別特徴又は特徴の組合せは、それ自体自立した解決を表すことができる。自立した進歩的解決の基礎となる課題は、明細書から読み取ることができる。
【００９４】
具体的な説明内の値領域についてのすべての記載は、その任意の部分領域とすべての部分領域を共に含むものであって、たとえば記載１から１０は、下限の１と上限の１０から始まるすべての部分領域、すなわち下限の１またはそれ以上で始まり、上限の１０またはそれ以下で終了する、たとえば１から１．７、または３．２から８．１、あるいは５．５から１０のすべての部分領域、を一緒に含んでいるものとする。
【００９５】
最後に形式的に指摘しておくが、構造を理解しやすくするために、部材は部分的に縮尺どおりではなく、かつ／又は拡大及び／又は縮小して示されている。
【符号の説明】
【００９６】
１    緊急車両
２    車両ボディ
３    前輪ペア
４    後輪ペア
５    フロント側
６    リア側
７    載置面
８    長手支持体
９    底アセンブリ
１０    ルーフアセンブリ
１１    左の長手壁
１２    右の長手壁
１３    底構造
１４    横壁
１５    保持フレーム
１６    窓ガラス
１７    外側被覆
１８    運転者キャビン
１９    終端横支持体
２０    第１のルーフ領域
２１    中間領域
２２    第２のルーフ領域
２３    収容通路
２４    底下側
２５    中央長手平面
２６    左のルーフ支持体
２７    右のルーフ支持体
２８    ルーフエレメント
２９    ルーフ支持体
３０    保護装置
３１    部分室
【手続補正２】
【補正対象書類名】特許請求の範囲
【補正対象項目名】全文
【補正方法】変更
【補正の内容】
【特許請求の範囲】
【請求項１】
緊急車両（１）、特に消防車両であって、前記緊急車両（１）がトラックとして形成されており、緊急車両（１）がフロント側（５）及びそれから車両長手方向に離隔したリア側（６）を有し、かつ
−底アセンブリ（９）、ルーフアセンブリ（１０）及び左の長手壁（１１）と右の長手壁（１２）を備えた車両ボディ（２）を有し、その場合にそれらの長手壁（１１、１２）が底アセンブリ（９）とルーフアセンブリ（１０）の間に配置されており、
−中央の長手支持体（８）を有し、前記長手支持体（８）が車両長手方向に延びるように配置されており、その場合に
−底アセンブリ（９）が底構造（１３）を有し、かつ底構造（１３）が中央の長手支持体（８）と直接堅固に結合されており、その場合に
−中央の長手支持体（８）が、車両ボディ（２）の底アセンブリ（９）の統合された構成部分を形成し、
−少なくとも１つの前輪ペア（３）と少なくとも１つの後輪ペア（４）を有し、その場合に少なくとも２つの車輪ペア（３、４）が中央の長手支持体（８）に保持されている、ものにおいて、
−底アセンブリ（９）が、車両ボディ（２）のアンダーベルト、特に引っ張りベルトを形成し、
−ルーフアセンブリ（１０）が、車両ボディ（２）のオーバーベルト、特に圧力ベルトを形成し、
−車両ボディ（２）が、複数の横壁（１４）を有し、
−横壁（１４）の少なくともいくつかが、底アセンブリ（９）の中央の長手支持体（８）と直接堅固に結合されており、
−横壁（１４）の少なくともいくつかが、車両ボディ（２）の長手壁（１１、１２）の少なくとも１つと堅固に結合されており、
−車両ボディ（２）が運転者キャビン（１８）を有し、前記運転者キャビン（１８）が、車両ボディ（２）の一体的な構成ユニットを形成し、
−中央の長手支持体（８）が車両ボディ（２）と直接堅固に結合されており、かつ
−車両ボディ（２）が、その中に統合されている長手支持体（８）と共に、フロント側（５）からリア側（６）まで、構造的な、一貫してつながり合った構造を形成している、ことを特徴とする緊急車両。
【請求項２】
長手支持体（８）が、多角形の横断面を有する中空プロフィールボディとして形成されている、ことを特徴とする請求項１に記載の緊急車両（１）。
【請求項３】
底構造（１３）内に収容通路（２３）が配置され、あるいは形成されており、前記収容通路（２３）が車両長手方向に延びており、かつ
中央の長手支持体（８）が少なくとも領域的に収容通路（２３）内に収容されている、ことを特徴とする請求項１に記載の緊急車両（１）。
【請求項４】
収容通路（２３）が、底構造（１３）の底下側（２４）から始まってルーフアセンブリ（１０）の方向に深くなるように底構造（１３）内に配置されており、かつ／又は
収容通路（２３）が、ルーフアセンブリ（１０）とは逆の側へ深くなるように底構造（１３）内に配置されている、ことを特徴とする請求項３に記載の緊急車両（１）。
【請求項５】
横壁（１４）の１つが車両ボディ（２）のフロント側（５）を形成し、かつ保持フレーム（１５）及び保持フレームＩ（１５）内に保持されている少なくとも１つの窓ガラス（１６）を有している、ことを特徴とする請求項１に記載の緊急車両（１）。
【請求項６】
横壁（１４）の少なくともいくつかが、車両長手方向に関して垂直の方向に方向づけされた横平面内に配置されている、ことを特徴とする請求項１又は５に記載の緊急車両（１）。
【請求項７】
ルーフアセンブリ（１０）が、少なくとも１つのルーフ支持体（２６、２７）及び少なくとも１つのルーフ支持体（２６、２７）と結合された少なくとも１つのルーフエレメント（２８）を有している、ことを特徴とする請求項１から６のいずれか１項に記載の緊急車両（１）。
【請求項８】
ルーフアセンブリ（１０）が、左のルーフ支持体（２６）、右のルーフ支持体（２７）及び少なくとも１つの他のルーフ支持体（２９）を有しており、前記少なくとも１つの他のルーフ支持体（２９）が車両長手方向に関して垂直の方向に、左のルーフ支持体（２６）と右のルーフ支持体（２７）の間に配置されており、かつ少なくとも１つの他のルーフ支持体（２９）が同様にルーフエレメント（２８）と結合されている、ことを特徴とする請求項７に記載の緊急車両（１）。
【請求項９】
２つの他のルーフ支持体（２９）が設けられており、かつ２つの他のルーフ支持体（２９）が車両長手方向に関して垂直の方向に互いに離隔して配置されている、ことを特徴とする請求項８に記載の緊急車両（１）。
【請求項１０】
ルーフ支持体（２６、２７、２９）の少なくともいくつかが、横壁（１４）の少なくとも１つと堅固に結合されている、ことを特徴とする請求項７から９のいずれか１項に記載の緊急車両（１）。
【請求項１１】
車両ボディ（２）が、さらに、少なくともセクション的に配置された外側被覆（１７）を有している、ことを特徴とする請求項１から１０のいずれか１項に記載の緊急車両（１）。
【請求項１２】
車両ボディ（２）が、長手支持体（８）と共に自己支持する構造を形成している、ことを特徴とする請求項１から１１のいずれか１項に記載の緊急車両（１）。
【国際調査報告】
2019531219.tif 000012
2019531219.tif 000013
2019531219.tif 000014
2019531219.tif 000015
2019531219.tif 000016
2019531219.tif 000017